(57)【要約】【課題】  壁布や絨毯等の布帛に、家庭・オフィス用固定構造物を載置するだけで脱着可能に固定して転倒を防止する防止具を提供する。【解決手段】  粘着性及び振動吸収性を有するゲル状体と、該ゲル状体の片面に積層され、床又は壁面に当接される支持体とを有し、前記支持体の一面は、布帛に係合できる係合部が多数立設した係合面であり、他面は凹凸面であって、前記ゲル状体のゲルの一部が、前記凹凸面の凹凸と絡み合うことにより、前記支持体に固定一体化されている。【選択図】  図１
2008161295.tif 000002
【特許請求の範囲】
【請求項１】
粘着性及び振動吸収性を有するゲル状体と、該ゲル状体の片面に積層され、床又は壁面に当接される支持体とを有し、
前記支持体の一面は、布帛に係合できる係合部が多数立設した係合面であり、他面は凹凸面であって、
前記ゲル状体のゲルの一部が、前記凹凸面の凹凸と絡み合うことにより、前記支持体に固定一体化されている家庭・オフィス用固定構造物の転倒防止具。
【請求項２】
前記係合部は、先端がフック状、ループ状、若しくは茸状、又はこれらの組合わせとなっている請求項１に記載の転倒防止具。
【請求項３】
前記ゲル状体の構成原料となるモノマー、オリゴマー、又はプレポリマーを含む液状組成物を支持体に流延した後、架橋、硬化させることによりゲル状体を形成するとともに、該ゲル状体と支持体との接触界面では固定一体化されている請求項１又は２に記載の転倒防止具。
【請求項４】
前記ゲル状体と支持体との界面結合力は、固定しようとする固定構造物に対する粘着力より高く、且つ前記支持体が当接している床面又は壁面に対する係合力よりも高い請求項１〜５のいずれかに記載の転倒防止具。
【請求項５】
前記ゲル状体は、該ゲル状体の１００ｃｍ２の板状試験片をステンレス板で挟持し、２００Ｎで圧着した後、圧着方向とは逆の方向に前記ステンレス板を引張り、ステンレス板を引き剥がすのに要する力が６００Ｎ〜２５００Ｎである粘着力を有している請求項１〜４のいずれかに記載の転倒防止具。
【請求項６】
前記ゲル状体のショア硬度は１０以上である請求項１〜５のいずれかに記載の転倒防止具。
【請求項７】
床に敷設された布帛上に固定構造物を固定するのに用いられる請求項１〜６のいずれかに記載の転倒防止具。
【発明の詳細な説明】
【技術分野】
【０００１】
本発明は、地震等の強い振動により箪笥、冷蔵庫、デスク、キャビネット、大型テレビ、コンピューターサーバー、コピー機等の家庭、オフィス用固定構造物などが移動、転倒することを防止するのに用いられる転倒防止具に関し、さらに詳述すると、特別な施工を行なうことなく、床に敷設された絨毯、カーペット等の布帛に家庭、オフィス用固定構造物を固定して、転倒を防止する家庭・オフィス用固定構造物の転倒防止具に関する。
【背景技術】
【０００２】
地震等の強い振動により家具などが移動、転倒を防止するために、釘やネジ等の締結部品、取付け金具を用いて、壁や天井、床に家具を固定することが行なわれている。
しかし、これらは施工工事が必要であったり、また、家具を取り替える場合に、壁、床、天井、家具にネジや釘等の締結部品による傷が残ってしまうため、容易にインテリヤの模様替えが出来なくなるという問題があり、特にテナントや賃貸マンションでは、適用できない。
【０００３】
このため、壁や天井、床等の家屋に傷をつけずに済む家具転倒防止具として、特許文献１（特開平８−２４２９５４）に、家具押さえ用下部；天井当接用上部；及び前記家具押さえ用下部と天井当接用上部とを任意位置で固定可能なように連結している伸縮部を備えた家具転倒防止具が提案されている。このような転倒防止具は、家具と天井の間に取付けられるため、大型テレビやパソコンサーバーのように、高さが天井近くまでないものについては、使い勝手が悪く、外観的にも好まれない傾向にある。また、天井、家具とは当接しているだけであるため、強い振動等により伸縮部での固定がずれると、家具がフリーの状態となってしまい、転倒防止としての役目を果たせなくなるといったおそれがある。特に、家具自体は床から直接振動を受けることになるため、伸縮部の許容限界を越えるような大きな横揺れに対しては、伸縮部の固定がはずれてしまうおそれがある。
【０００４】
また、特許文献２（特開平１０−５０６９）には、マジックファスナー（登録商標）等の面ファスナーを家具類に取付け、壁に面ファスナーと係合される繊維シートを取付けることで、壁に家具を固定する方法が提案されている。しかし、壁、家具に面ファスナーを取付ける必要があり、転倒防止機能を発揮するためには、面ファスナーと壁又は面ファスナーと家具の固定力が面ファスナー同士の係合力より大きくなければならない。しかしながら、そのような固定力を粘着剤で達成することは困難であるため、接着剤による永久固着、あるいはネジ等による機械的締結が必要になる。
【０００５】
一方、床等に家具を固定するとともに、床から伝播される振動を減衰することで、床が転倒することを防止する転倒防止具がある。
例えば、特許文献３（特開平１０−６１７１７）に、発泡倍率を変えた複数の緩衝板を積層した吸振板状体が開示されている。しかし、振動を吸収することはできても、吸振板状体を床や家具に固定する方法が開示されていないため、結局、固定構造物の転倒防止には不十分である。
【０００６】
ゲル状体の吸振、防振を利用し、且つゲル状体を固定する工夫がなされた転倒防止具としては、特許文献４（特開２０００−３２５１６８）に、電子機器用転倒防止具が提案されている。箱状枠体内にゲル状体を嵌め込んだもので、箱状枠体にベルト等の固定用係止体をとりつけ、この係止体で机等の支持面に固定させるものである。ベルト等の固定用係止体による固定は、電子機器のような比較的小型家具には適用できるが、タンスやサイドボード、キャビネットといった大型の家庭・オフィス用固定構造物には適用できない。
【０００７】
特許文献５（特開２００４−１７６７６１）には、エンジニアリング樹脂等の硬質部材の表裏面と粘着体とを接合した転倒防止具が開示されている。この転倒防止具は、粘着体の粘着性を利用して、それぞれ床や家具に防止具を密着させて、構造物と床を固定するものである。硬質部材と粘着体の組合わせによる圧縮応力、反発弾性、伸びにより、地震等の横揺れにも完全に追随し、転倒を防止しようとしている。
【０００８】
しかし、特許文献５に開示の転倒防止具は、粘着体の粘着性を利用して家具、床に密着させることにより固定するものであるため、凹凸面やザラザラ面のある模様が施された壁や壁紙面などの壁面、あるいは絨毯やカーペットのような布帛が敷設された床に対しては、粘着体の有する流動性で密着することができないため、粘着体が本来有する粘着性を発揮できない。結果として、そのような床、壁には、固定構造物を固定することができない。
【０００９】
凹凸面やザラザラ面となる模様が施された壁や壁紙面などの壁面に対する物品固定具としては、壁面の凹凸面に弾性体を押接し、空気吸引手段を用いて壁面との間の空気を吸引することで、固定することが特許文献６（特開２００４−２９３５７０）に提案されている。しかし、真空ポンプなどを用いて行なう吸引は面倒な作業であり、吸引の仕方によっては、満足できる固定を達成できないおそれがある。
【００１０】
【特許文献１】特開平８−２４２９５４号公報
【特許文献２】特開平１０−５０６９号公報
【特許文献３】特開平１０−６１７１７号公報
【特許文献４】特開２０００−３２５１６８号公報
【特許文献５】特開２００４−１７６７６１号公報
【特許文献６】特開２００４−２９３５７０号公報
【発明の開示】
【発明が解決しようとする課題】
【００１１】
本発明は、以上のような事情に鑑みてなされたものであり、その目的は、壁布や絨毯等の布帛に、固定構造物を固定して固定構造物の転倒を防止する防止具であり、しかも壁布や絨毯を傷つけずに、脱着可能に固定構造物を固定することができ、且つ固定作業も、道具を使わうことなく、固定構造物を載置するだけですむ転倒防止具を提供することにある。
【課題を解決するための手段】
【００１２】
本発明の家庭・オフィス用固定構造物の転倒防止具は、粘着性及び振動吸収性を有するゲル状体と、該ゲル状体の片面に積層され、床又は壁面に当接される支持体とを有し、前記支持体の一面は、布帛に係合できる係合部が多数立設した係合面であり、他面は凹凸面であって、前記ゲル状体のゲルの一部が、前記凹凸面の凹凸と絡み合うことにより、前記支持体に固定一体化されている。
【００１３】
前記係合部は、先端がフック状、ループ状、若しくは茸状、又はこれらの組合わせとなっていることが好ましい。
【００１４】
前記ゲル状体の構成原料となるモノマー、オリゴマー、又はプレポリマーを含む液状組成物を支持体に流延した後、架橋、硬化させることによりゲル状体を形成するとともに、該ゲル状体と支持体との接触界面では固定一体化されている好ましい。
【００１５】
前記ゲル状体と支持体との界面結合力は、固定しようとする固定構造物に対する粘着力より高く、且つ前記支持体が当接している床面又は壁面に対する係合力よりも高いことが好ましい。好ましくは、前記ゲル状体は、該ゲル状体の１００ｃｍ２の板状試験片をステンレス板で挟持し、２００Ｎで圧着した後、圧着方向とは逆の方向に前記ステンレス板を引張り、ステンレス板を引き剥がすのに要する力が６００Ｎ〜２５００Ｎである粘着力を有している。また、好ましくは、前記ゲル状体のショア硬度は１０以上である。
【００１６】
以上のような構成を有する本発明の家庭・オフィス用固定構造物の転倒防止具は、床に敷設された布帛上に固定構造物を固定するのに、好適に用いられる。
【発明の効果】
【００１７】
本発明の家庭・オフィス用固定構造物の転倒防止具は、固定構造物をゲル状体の粘着力で保持するともに、床からの振動を吸収、減衰できるので、固定構造物に伝播される振動を低減し、且つ伝播された振動によって構造物がゲル状体上を移動したり、ゲル状体から離れることを防止できる。一方、転倒防止具の支持体が床に敷設された布帛と係合することにより床に固定されるので、支持体及びゲル状体が固定一体化された本発明の転倒防止具は、床に敷設された布帛に家庭・オフィス用固定構造物を固定することができ、結果として転倒を防止することができる。そして、本発明の転倒防止具は、ゲル状体の粘着力により固定構造物を粘着しているだけであるから脱着自在であり、また床に敷設された布帛と係合しているだけであるから、床からも脱着自在である。従って、特別な施工をすることなく構造物を固定でき、レイアウトの変更時には、床や壁等に傷跡を残さずに、構造物を移動させることができる。
【発明を実施するための最良の形態】
【００１８】
本発明の固定構造物転倒防止の構成について、図面に基づいて説明する。
図１は、本発明一実施形態の固定構造物転倒防止具の構成を示す模式断面図である。
片側の面が係合面１ａ、反対側の面が凹凸面１ｂである支持体１の凹凸面１ｂ上にゲル状体２が積層されている。
【００１９】
支持体１としては、絨毯等の布帛に係合できる係合部３を有する係合面１ａとゲル状体２がアンカー効果を発揮できる凹凸面１ｂを有するものであればよく、例えば、基布又は基板に係合部３が多数立設したものであってもよいし、地組織を構成する経緯糸とは別にナイロン糸のような剛性糸をパイル経糸として交織することにより片面の係合面１ａを形成するようにしたものであってもよい。このようなものとして、例えば、マジックファスナー（登録商標）として市販されている面ファスナーを使用することができる。尚、支持体１の係合面１ａは、図１では茸状の係合部であったが、本発明で用いられる支持体はこれに限定されず、係合面１ａを構成する係合部３としては、ループ状（図２（ａ））、フック状（図２（ｂ））であってもよく、さらに、茸状、ループ状、フック状を適宜組合わせたものであってもよい。要するに、本発明の転倒防止具を適用しようとする絨毯等の布帛に対して、所定の係合力を確保できる係合部を有していればよい。
【００２０】
支持体１の凹凸面１ｂは、押圧によっても、流動性を有しないゲル状体２を密着することができない程度の凹凸である。例えば、支持体１として、基布に係合部３が多数植設されたものや、地組織を構成する経緯糸とは別にナイロン糸のような剛性糸をパイル経糸として交織した織布を用いた場合、表面には係合部３が形成されて係合面１ａとなり、立設した係合部３の起部となる側の面またはパイル経糸のパイルが形成された面と反対側の面が凹凸面１ｂとなる。
【００２１】
尚、本発明の転倒防止具において、凹凸面１ｂは、織布の製織により自然に形成される凹凸に限定されず、基板の粗面化、あるいはパンチング加工により多数の微小孔が形成された面であってもよい。
【００２２】
ゲル状体２は、粘着性及び振動吸収性を有するゲル状物で構成される。かかるゲル状物は、三次元架橋構造により流動性が制限され、粘弾性挙動を示すことができるもので、例えば、軟質ゴム等の粘着性を有するゴム、ポリウレタンゴム、シリコーンゲルなどを用いることができる。これらは、固定構造物の荷重に対しても破壊しない保持力を有し、室温では弾性限界内の負荷に対しても負荷の解除により元に戻ることができるゴム状弾性を有し、且つ粘弾性体としての振動吸収性を有している。
【００２３】
具体的には、家具・オフィス用固定構造物が載置されても、ゲル状体２の振動吸収性をある程度発揮できる程度にまで形状保持できるような耐荷重性を有するように、ショア硬度１０以上の硬さを有することが好ましく、より好ましくはショア硬度２０〜５０程度である。
【００２４】
ゲル状体２と支持体１との積層界面では、ゲル状体２のゲルが凹凸面１ｂの凹部に嵌入し、凹凸面の凸部がゲル状体２に嵌入することにより、支持体１とゲル状体２とが結合一体化されている。このような積層界面は、後述するように製造することで、達成される。
【００２５】
積層界面の結合力は、ゲル状体２の粘着力より大きく、且つ係合面１ａと係合対象となる床又は壁面との係合力より大きいことが好ましい。例えば、ゲル状体の１００ｃｍ２の板状試験片をステンレス板で挟持し、２００Ｎで圧着した後、圧着方向とは逆の方向に前記ステンレス板を引張り、ステンレス板を引き剥がすのに要する力が６００Ｎ〜２５００Ｎである粘着力を有していることが好ましい。より具体的には、図３に示ように、ゲル状体の板状試験片をステンレス板で挟持し、２００Ｎの荷重をかけて１分間静止することにより圧着させた後、株式会社島津製作所製のオートグラフＡＧＳ−５ｋＮＤ（使用ロードセル５ｋＮ）を用いて、２００ｍｍ／分で矢印方向に引張った場合に、ステンレス板を引き剥がし時の荷重が６００Ｎ〜２５００Ｎであることが好ましい。
【００２６】
次に、本発明の転倒防止具の製造方法について説明する。
本発明の転倒防止具は、支持体１の凹凸面１ｂに、ゲル状体１の構成原料となるモノマー、オリゴマー、又はプレポリマーを含む液状組成物を流延し、乾燥、架橋硬化することにより製造できる。
【００２７】
使用する前記液状組成物としては、例えば、液状ウレタンプレポリマー及び硬化剤の組合わせ；液状ウレタンプレポリマー及び架橋モノマーの組合わせ；イソシアネートオリゴマー及びポリオールの組合わせ；液状シリコーン及び硬化剤の組合わせ；液状ゴム及び架橋剤の組合わせなどが挙げられる。当該組成物には、さらに必要に応じて、粘着付与樹脂、架橋助剤、劣化防止剤、顔料、可塑剤などを適宜含有させてもよい。硬化前の組成物は液状であり、必要に応じて溶剤を含有させてもよい。
【００２８】
以上のような液状組成物を流延した後、必要により加熱して硬化させる。液状組成物は、凹凸面１ｂに隙間無く流れ込んだ状態で架橋硬化することにより、ゲル状体２が支持体１と固定一体化されることになり、しかも凹凸面１ｂにゲル状体の一部が嵌入した状態となっている。従って、硬化したゲル状体２は、凹凸面１ｂの凹凸に対してアンカーのような役割を果たすことができるので、積層界面において、ゲル状体２表面の粘着力、係合面１ａと係合対象となる布帛等との間の係合力よりも大きな結合力を確保することができる。
【００２９】
以上のような構成を有する転倒防止具は、支持体１の係合面１ａを床又は壁に固着させて用いる。ここで、本発明の転倒防止具の利用が好適な床としては、絨毯、カーペット、不織布、フェルトなどの布帛が敷設された床である。特に好ましくは絨毯、カーペットである。絨毯、カーペットは、一般に、地組織を構成する経緯糸の他に、パイルとなる経糸を絨鍛織機等を用いて織製したもので、使用面（模様面）となる表面には、パイル又はカットパイルが浮かんだようになっている。従って、このような布帛上に本発明の家具転倒防止具を載置すると、絨毯のパイル部分と係合面１ａの係合部３が係合することで、絨毯等に係合固定される。
【００３０】
絨毯等に係合固定させた転倒防止具のゲル状体上に、固定構造物を載置する。固定構造物の底面は、ゲル状体の粘着力で粘着固定される。このようにして、構造物は、転倒防止具を介して、間接的に床に固定されることになる。
【００３１】
そして、地震等の振動に対しては、床から受ける振動がゲル状体２で振動減衰されることから、固定構造物に伝播する振動を低減することができる。従って、固定構造物が振動により動く力は、支持体が係合面で受ける移動力よりも小さくて済むので、床に支持体が固定される限りは、ゲル状体２に載置された構造物が移動したり、ましてや構造物だけがゲル状体２から剥がれて転倒したりすることはない。
【００３２】
さらに、支持体１の係合面１ａと絨毯とは係合していることから、この係合力を越える力が作用しない限り、構造物の転倒はない。
【００３３】
一方、インテリアの変更等により構造物を移動させたいときは、構造物からゲル状体２を引き剥がせばよい。ゲル状体２と家具とはゲル状体２の粘着力で粘着しているだけであるから、脱着可能である。また、係合面１ａと床とは係合しているだけであるから、係合を解除するように、転倒防止具を引き剥がせばよい。
【００３４】
以上のように、本発明の転倒防止具は、脱着可能に床に敷設することができ、また家具も脱着可能に載置することができるので、インテリアの変更なども容易に行なうことができ、変更後も構造物や床を傷つけずに済む。
【産業上の利用可能性】
【００３５】
本発明の転倒防止具は、特に絨毯やカーペット等の布帛の床に容易に固定させることができ、しかも地震等の強い振動に対しては、当該転倒防止具上に載置したタンス、キャビネット等の家庭・オフィス用固定構造物に伝播する振動を減衰させることで、これらの構造物の転倒を防止する。そして、これらの固定構造物、床等に傷を残さずに家具、転倒防止具を剥がすことができるので、インテリア、レイアウトの変更に対応できる家庭・オフィス用固定構造物用転倒防止具として有用である。
【図面の簡単な説明】
【００３６】
【図１】本発明一実施形態の固定構造物転倒防止具の模式断面図である。
【図２】係合面の他の実施例を示す模式断面図である。
【図３】粘着力の測定方法を説明するための図である。
【符号の説明】
【００３７】
１  支持体
１ａ  係合面
１ｂ  凹凸面
２  ゲル状体
３  係合部
【図１】
2008161295.tif 000003
【図２】
2008161295.tif 000004
【図３】
2008161295.tif 000005